(57)【要約】      （修正有）【課題】光の拡散性が良く装飾性の高い、容易に製造可能なユニークな形状のペンダント灯を提供する。【解決手段】所定の高さに保持される基板１０と、基板１０に脱着可能に保持されるシェード留め具１６と、シェード留め具１６の下方に保持されるソケット１４と、ソケット１４に装着される電球型ＬＥＤ２０と、シェード留め具１６に被せられ、該シェード留め具１６に支持された部分を残して他の部分が下方にスカート状に垂れ下がり、ソケット１４及び電球型ＬＥＤ２０の周囲を覆うシェード１８とを備え、電源供給用のコード６の一方を基板１０を介してソケット１４に連結し、コード６の他方に、該コード６を天井に取り付けるための天井取付具４を連結し、基板１０をコード６を介して天井から吊り下げる。【選択図】図１
0003204152.tif 000002
【実用新案登録請求の範囲】
【請求項１】
所定の高さに保持される基板（１０）と、前記基板（１０）に脱着可能に保持されるシェード留め具（１６）と、前記シェード留め具（１６）の下方に保持されるソケット（１４）と、該ソケット（１４）に装着される電球型ＬＥＤ（２０）と、前記シェード留め具（１６）に被せられ、該シェード留め具（１６）に支持された部分を残して他の部分が下方にスカート状に垂れ下がり、前記電球型ＬＥＤ（２０）の周囲を覆うシェード（１８）とから成る照明機構。
【請求項２】
所定の高さに保持される基板（１０）と、前記基板（１０）に脱着可能に保持されるシェード留め具（１６）と、前記シェード留め具（１６）の下方に保持されるソケット（１４）と、該ソケット（１４）に装着される電球型ＬＥＤ（２０）と、前記シェード留め具（１６）に被せられ、該シェード留め具（１６）に支持された部分を残して他の部分が下方にスカート状に垂れ下がり、前記電球型ＬＥＤ（２０）の周囲を覆うシェードを形成するシェード（１８）とを備え、電源供給用のコード（６）の一方を前記基板（１０）を介して前記ソケット（１４）に連結し、該コード（６）の他方に、該コード（６）を天井に取り付けるための天井取付具（４）を連結し、前記基板（１０）を前記コード（６）を介して天井から吊り下げ所定の高さに保持したことを特徴とするスカート状シェードを持つペンダント灯。
【請求項３】
前記シェード留め具（１６）を、円形、四角形等の任意の形状の板状部材により構成したことを特徴とする請求項２に記載のスカート状シェードを持つペンダント灯。
【考案の詳細な説明】
【技術分野】
【０００１】
本考案は、主として室内照明に使用される電球型ＬＥＤを用いた照明機構及び同機構を用いたスカート状シェードを持つペンダント灯に関する。
【背景技術】
【０００２】
パイプ状の支柱と、支柱の外面にこれに沿って取り付けられたＬＥＤ光源部と、支柱の頂部に取り付けられたカバー支持用のキャップと、キャップに掛けられこのキャップに支持された部分を残して他の部分が下方に垂れ下がりＬＥＤ光源部の周囲を覆う下端が開放された光透過性を有する布状カバーと、ＬＥＤ光源部を、多数のＬＥＤ素子が長手方向に沿って列状に配列されている細長状のバータイプＬＥＤにより構成したバータイプＬＥＤを用いた照明器具が従来知られている（例えば特許文献１参照）。
【先行技術文献】
【特許文献】
【０００３】
【特許文献１】実用新案登録第３１６６８１２号公報
【考案の概要】
【考案が解決しようとする課題】
【０００４】
従来のバータイプＬＥＤを用いた照明器具は、バータイプＬＥＤの支柱の取り付けが手作業となるためコスト高を招き、またＬＥＤ光源が露出するため使用者に火災や火傷の可能性の危惧感を与えかねない。
この点に関し、近年、熱発散の少ない電球型ＬＥＤが普及してきたため、本考案は、この電球型ＬＥＤを用いることで上記問題点を解決した照明機構及び該照明機構を用いた多様なデザインが可能なユニークな形状のペンダント灯を提供することを目的とする。
【課題を解決するための手段】
【０００５】
上記目的を達成するため、本考案は、  所定の高さに保持される基板（１０）と、前記基板（１０）に脱着可能に保持されるシェード留め具（１６）と、前記シェード留め具（１６）の下方に保持されるソケット（１４）と、該ソケット（１４）に装着される電球型ＬＥＤ（２０）と、前記シェード留め具（１６）に被せられ、該シェード留め具（１６）に支持された部分を残して他の部分が下方にスカート状に垂れ下がり、前記電球型ＬＥＤ（２０）の周囲を覆うシェード（１８）とから成ることを特徴とする。
また本考案は、所定の高さに保持される基板（１０）と、前記基板（１０）に脱着可能に保持されるシェード留め具（１６）と、前記シェード留め具（１６）の下方に保持されるソケット（１４）と、該ソケット（１４）に装着される電球型ＬＥＤ（２０）と、前記シェード留め具（１６）に被せられ、該シェード留め具（１６）に支持された部分を残して他の部分が下方にスカート状に垂れ下がり、前記電球型ＬＥＤ（２０）の周囲を覆うシェード（１８）とを備え、電源供給用のコード（６）の一方を前記基板（１０）を介して前記ソケット（１４）に連結し、該コード（６）の他方に、該コード（６）を天井に取り付けるための天井取付具（４）を連結し、前記基板（１０）を前記コード（６）を介して天井から吊り下げ所定の高さに保持したことを特徴とする。
また本考案は、前記シェード留め具（１６）を、円形、四角形等の任意の形状の板状部材により構成したことを特徴とするものである。
【考案の効果】
【０００６】
本考案は、垂れ下がった布などから成るシェードの作り出すユニークな有機的形状を簡単な機構で実現することができ、光の拡散性が良く装飾性の高い、容易に製造可能な、しかも多様なデザインが可能な照明機構及びそれを用いたユニークな形状のペンダント灯を提供することができる。
【図面の簡単な説明】
【０００７】
【図１】本考案に係るペンダント灯の一部を切欠した全体正面図である。
【図２】照明機構の一部を切欠した正面図である。
【図３】シェード留め具の平面図である。
【図４】シェード留め具の他の実施形態を示す平面図である。
【考案を実施するための形態】
【０００８】
以下に本考案の実施の形態を添付した図面を参照して詳細に説明する。
図１は、スカート状シェードを持つペンダント灯の一部を切り欠いた全体正面図を示している。ペンダント灯２は、電線を内蔵した天井取付具４、吊り下げ及び供電用のコード６、ガイドパイプ８、金属板から成る基板１０、筒体１２、ソケット１４、シェード留め具１６、シェード１８、電球型ＬＥＤ（発光ダイオード）２０とより構成されている。
【０００９】
ガイドパイプ８は、その下部が基板１０の中央部に形成された穴に嵌挿された状態で該基板１０の中央部にかしめ加工により、基板１０に対して垂直に固定されている。パイプ８の下部には、基板１０の下方に延びる筒体１２が固定され、該筒体１２にソケット１４が配置されている。ソケット１４の上部は、ガイドパイプ８の下端外周面に固定されている。コード６の下部は、パイプ８に嵌挿され、その上部は、天井取付具４に連結し、下部は、ソケット１４に連結している。
【００１０】
ソケット１２と天井取付具４内の電線は、コード６を介して電気的に接続し、天井取付具４内の電線は電気接点を介して天井内に配設される電気ケーブルに接続されている。基板１０の下面には、シェード留め具固定用の複数のボルト２２が固設されている。円形の透明アクリル板から成るシェード留め具１６には、中心部に穴２４が形成され、シェード留め具１６は、該穴２４を介して筒体１２に遊嵌配置されている。
【００１１】
シェード留め具１６の中心近傍には、小孔２６が穿設され、該小孔２６にボルト２２が挿入配置されている。シェード留め具１６の中心近傍は、ボルト２２にねじ込まれたローレットナット２８により、基板１０の下面に固定されている。シェード留め具１６上には、薄い布などからシェード１８が被せられ、該シェード１８の中央の孔は、筒体１２に遊嵌されるとともに、シェード１８に穿設された孔が、ボルト２２に嵌挿され、シェード１８は、ボルト２２にねじ込まれたローレットナット２８により、基板１０とシェード留め具１６との間に挟まれて固定されている。
【００１２】
シェード１８は、シェード留め具１６に支持された水平部分を残して他の部分が垂れ下がり、全体として電球型ＬＥＤ２０の周囲を囲む筒状を形成する。シェード１８は、光透過性の高い薄い布が最も望ましいが特に、その材料は布に限定されるものではなく、柔軟性のある合成樹脂シートその他有機性の同効材を用いることができる。また、本実施形態に使用されるシェード１８は、特定の形状に加工する必要はなく、平面立体二重その他任意の形状のものを使用することができる。
【００１３】
天井取付具４は、天井に取り付けるための取り付け部を備え、内部に天井内の電源線と、コード６と接続する電線とを接続するための電気接点が格納されている。シェード留め具１６は、ローレットナット２８をボルト２２から外すことによって、シェード１８とともに、基板１０から容易に取り外すことができ、また、シェード留め具１６とこれに被せたシェード１８は、これらの小孔をボルト２２に挿入し、ローレットナット２８をボルト２２にねじ込むことで、容易に基板１０に取り付けることができる。
【００１４】
取り付け具４内の電気接点には、室内の適宜な場所に設けられた電源オンオフスイッチ（図示省略）のコードが接続され、電球型ＬＥＤ２０に供給される電源をオンオフスイッチによってオンオフ制御することができるように構成されている。電源オンオフスイッチはソケット１２に外部操作可能に取り付けるようにしてもよい。
【００１５】
上記所定の高さに保持される基板１０、基板１０に脱着可能に保持されるシェード留め具１６、シェード留め具１６の下方に保持されるソケット１４、該ソケット１４に装着される電球型ＬＥＤ２０、シェード留め具１６に被せられ、該シェード留め具１６に支持された部分を残して他の部分が下方にスカート状に垂れ下がり、電球型ＬＥＤ２０の周囲を覆うシェードを形成するシェード１８の構成は、照明機構を構成し、該照明機構は図１に示すペンダント灯以外に、照明スタンドや壁付灯などにも用いることができる。
【００１６】
本考案に係る照明機構を照明スタンドとして用いる場合には、上記照明機構を逆転構造とし、スタンドの支柱に上向きにソケット１４を支持し、シェード留め具１６の下方にソケット１４が位置するように、シェード留め具１６及び基板１０を支柱に支持させた構成とすることで照明スタンドを構成することができる。尚、本実施形態では、基板１０は円形の金属板で構成しているが、特に金属板に限定されるものではなく、プラスチックその他の材料を用いることができ、また、円形に限定されるものではない。また、シェード留め具１６は、円形に限定されるものではなく、図４に示すように、四角形でもよく、その他任意の形状とすることができる。
【符号の説明】
【００１７】
２      ペンダント灯
４      天井取付具
６      コード
８      ガイドパイプ
１０    基板（金属板）
１２    筒体
１４    ソケット
１６    シェード留め具（透明板）
１８    シェード
２０    電球型ＬＥＤ
２２    ボルト
２４    穴
２６    小孔
２８    ローレットナット
【図１】
0003204152.tif 000003
【図２】
0003204152.tif 000004
【図３】
0003204152.tif 000005
【図４】
0003204152.tif 000006